(57)【要約】【課題】  メンテナンスが容易なリールシートを提供する  【解決手段】  このリールシート２は、本体部３と、移動フード部４とから構成される。本体部３は、載置面１０，固定フード１２，レール溝１３を有し、このレール溝１３の移動フード部４の幅方向両端が噛み合って、軸長方向にスライド移動可能となっている。レール溝１３は穂先側において解放端となっており、弾性体からなるストッパ１６が、この解放端側においてレール溝１３を脱着自在に埋めている。【選択図】  図１
2005160409.tif 000002
【特許請求の範囲】
【請求項１】
竿体の周面に配置されリールの脚部を取り付けるためのリールシートであって、
前記リールの脚部を載置する載置面，前記載置面の軸長方向端部に形成された前記載置面側に向かって開口する固定フード，前記載置面の幅方向両縁に軸長方向に延びて形成され軸長方向一端において解放され他端において閉塞される１対のレール溝を有し前記竿体の周面に固定される本体部と、
前記レール溝に幅方向両端が噛み合い前記載置面上を軸長方向にスライド移動自在であり前記固定フードに対向して開口する移動フード部と、
前記移動フード部を任意の軸長方向位置で位置決めするための位置決め手段と、
前記本体部の一対のレール溝の解放端側において前記レール溝を脱着自在に埋めている弾性体からなるストッパと、
を備えたリールシート。
【請求項２】
前記ストッパは略Ｕ字型の部材であり、前記載置面上を幅方向に横断して前記一対のレール溝をその両端で埋めている、請求項１に記載のリールシート。
【請求項３】
前記レール溝の解放端は前記固定フード側にあり、
前記ストッパは前記レール溝内で前記閉塞端側に向かって軸長方向に延びている、請求項１又は２に記載のリールシート。
【発明の詳細な説明】
【技術分野】
【０００１】
本発明は、本発明は魚釣りに用いる釣竿のリールシートに関する。
【背景技術】
【０００２】
釣竿には、リールを脱着自在に竿体に装着するためのリールシートが取り付けられているものがある。この種の釣竿では、リールシートにリールの脚部を取り付けて、リールからの釣糸を釣糸ガイドで穂先側に案内し、釣りをおこなうことになる。
【０００３】
このリールシートには種々のタイプがあるが、その中の１つに、レール溝（摺動溝）を移動フードがスライド移動するタイプのものがある。このリールシートは、リールシート本体のリール載置面の幅方向両縁に軸長方向に延びるレール溝（摺動溝）が形成されている。さらに、載置面の一端には固定フードが形成されており、レール溝には移動フードがスライド移動自在に取り付けられている（例えば、特許文献１参照）。ユーザはリールの脚部を載置面に載置しつつ脚部の一端を固定フードに差し込み、移動フードをスライド移動させて脚部の他端を覆い、移動フードを位置決めして、リールの脚部を載置面上に固定することになる。
【０００４】
このレール溝への移動フードの取り付け手法としては、様々な手法が考えられる。例えば、レール溝の一部に切り欠きを形成しておき、ここから移動フードをレール溝に噛み合わせ、その後、切り欠きを埋めてしまうような手法もある。
【０００５】
ところで、移動フードはリールの脚部を直接的に挟持する部分であり、リールの脚部から大きな力が加わる部分である。そこで、繰り返しリールシートを利用していると、移動フードが変形しその交換が必要となる場合もある。また、釣り場でゴミ等が移動フード内に詰まった場合に、これを取り外して清掃する必要が生じる場合もある。
【０００６】
しかし、従来のリールシートでは、移動フードをリールシート本体から取り外すことができず、移動フードの変形等によってリールシート全体の交換も余儀なくされる場合もあった。
【特許文献１】特開平05-91830号公報
【発明の開示】
【発明が解決しようとする課題】
【０００７】
本発明は、メンテナンスが容易なリールシートを提供するものである。
【課題を解決するための手段】
【０００８】
本発明のリールシートは、竿体の周面に配置されリールの脚部を取り付けるためのリールシートであって、リールの脚部を載置する載置面，載置面の軸長方向端部に形成された載置面側に向かって開口する固定フード，載置面の幅方向両縁に軸長方向に延びて形成され軸長方向一端において解放され他端において閉塞される１対のレール溝を有し竿体の周面に固定される本体部と、レール溝に幅方向両端が噛み合い載置面上を軸長方向にスライド移動自在であり固定フードに対向して開口する移動フード部と、移動フード部を任意の軸長方向位置で位置決めするための位置決め手段と、本体部の一対のレール溝の解放端側においてレール溝を脱着自在に埋めている弾性体からなるストッパとを備えるものである。
【０００９】
このリールシートにおいては、移動フード部はレール溝の解放端からレール溝に噛み合わされている。レール溝の開口端を埋めるストッパにより、移動フード部はレール溝からの脱落が防止されている。リールシートの使用手法は、リールの脚部を載置面に載置し、脚部の一端を固定フードに差し込み、移動フード部をスライド移動させて脚部の他端を覆い、位置決め手段で移動フード部を固定して、リールを取り付ける、というものである。
【００１０】
繰り返しリールの脚部をリールシートに脱着し、移動フード部内にゴミが溜まり若しくは移動フード部が変形した場合には、ストッパをレール溝から取り外し、移動フード部はレール溝から取り外される。移動フード部の交換、若しくはそのメンテナンスが可能である。
【００１１】
このようなストッパの１つは、略Ｕ字型の部材であり、載置面上を幅方向に横断して一対のレール溝をその両端で埋めているものである。このようなストッパは載置面上を横断している部分が載置面上に載置されるリールの脚部の底面に当接し、滑り止め機能を果たすことにもなる。
【００１２】
また、ある１つのリールシートでは、レール溝の解放端は固定フード側に形成されている。そして、その解放端側においてレール溝に埋め込まれているストッパはレール溝内で閉塞端側に向かって軸長方向に延びている。好ましくは、移動フード部でリール脚部を挟持した状態において、移動フード部の両端のレール溝に噛み合っている部分がストッパに当たる程度に、ストッパが軸長方向に延びるようなものとする。
【００１３】
上述のように、移動フード部は位置決め手段により所定の位置に位置決めされる。この際、移動フード部がストッパに当たり、過剰に強く移動フード部をリール脚部方向に押し込んで両者を痛める恐れがない。他方、リールの脚部を取り外す際に、位置決め手段による移動フード部の位置決めを解放すると、ストッパの弾性により、移動フード部が軸長方向のリール脚部を挟持する方向と逆方向に付勢されることになる。このように、リールの脱着が円滑になる。
【発明の効果】
【００１４】
本発明のリールシートでは、移動フード部を容易に取り外すことができ、メンテナンスが容易である。さらに、リールシートからのリールの脱着も円滑に行える。
【発明を実施するための最良の形態】
【００１５】
［第１実施形態］
以下、本発明の実施形態について図面を参照しつつ説明する。
【００１６】
図１に、本発明の１つの実施形態を採用した釣竿の元竿１に装着されたリールシート２を示す。釣竿は、複数の竿体を振出形式若しくは並継ぎ形式に連結したものである。各竿体は強化繊維に合成樹脂を含浸させた繊維強化樹脂素材を焼成してなる先細りテーパの施された筒状体である。このような竿体の中でもっとも竿元側に位置する太径の竿体が元竿１である。元竿１には、竿元側端部に尻栓が脱着自在に取り付けられ、釣人が把持するためのグリップが必要に応じてその周面に取り付けられ、さらに、リールシート２が周面に取り付けられている。
【００１７】
リールシート２は、本体部３と、移動フード部４とを備えている。
本体部３は、硬質合成樹脂，金属等から構成される部材である。図１に於いては、本体部３は、元竿１の周面に固定される略板状の部材であるが、元竿１が貫通しその周面を覆うようなパイプ状のものとしても良い。本体部３は元竿１の周面の所定の軸方向位置に配置され接着剤や巻糸等で固定される。
【００１８】
本体部３には軸長方向に延びる平面があり、ここが載置面１０である。載置面１０の竿元側にあっては、その幅方向中央付近が凹入して溝１１が形成されている。この溝１１は載置面１０の軸長方向に延びており、この溝１１の底には幅方向に延びる凹溝が軸長方向に配列されることで、凹凸が形成されている。他方、載置面１０の穂先側には固定フード１２が形成されている。固定フード１２は竿元側方向に開口したフード状の部分でありこの中にリールの脚部Ｘの一端が挿入されることになる。さらに、本体部３の載置面１０の竿元側の幅方向両縁には軸長方向に延びる１対のレール溝１３が形成される（図２及ぶ図３も参照）。即ち、載置面１０の幅方向両縁はそれぞれ庇状に幅方向に広がっており、載置面１０の幅方向両縁の下側には幅方向に凹入するレール溝１３が構成される。このレール溝１３が載置面１０の幅方向両縁に沿って軸長方向に延びている。
【００１９】
移動フード部４は、フード部１４と固定部１５とが組み合わされて構成されている。フード部１４は穂先側の固定フード１２に向かって開口しており内部にリールの脚部Ｘの他端を収納可能である。幅方向両端側が折り曲げられて上述のレール溝１３に噛み合っている。このレール溝１３に沿って移動フード部４が軸長方向にスライド移動する。固定部１５は幅方向に回動軸が位置する回動部分と軸受け部分とからなり、回動部分の回動軸付近に爪が形成されている（図示せず）。この軸受け部分はフード部１４と同様に、その幅方向両端側が折り曲げられて上述のレール溝１３に噛み合っている。この固定部１５の回動部分を平伏させると爪が上述の溝１１の凹凸に引っ掛かり、移動フード部４は軸長方向において位置決めされる。また、固定部１５の回動部分を起立させると爪の溝１１の凹凸への引っ掛かりが解除され、移動フード部４は軸長方向に移動できる。
【００２０】
このレール溝１３の穂先側は解放端であり、竿元側は閉じた閉塞端である。従って、上述の移動フード部４は、レール溝１３の穂先側の解放端よりその両端を差し込んで、その両端をレール溝１３に噛み合わせている。このように移動フード部４をレール溝１３に噛み合わせた後に、ストッパ１６がレール溝１３に埋め込まれる。ストッパ１６は、図３に詳しく示すように、略Ｕ字型のゴム製の部材である。例えば、スチレンゴム・シリコンゴム等周知のゴム素材から形成される。その幅方向両端側は幅方向内側に折り曲げた形状であり、この幅方向両端がレール溝１３の解放端側に埋め込まれている。幅方向中央付近は、本体部３の載置面１０を幅方向に横断することになる。その周面は多少載置面１０より隆起した曲面とし、必要に応じて、凹凸などを形成してもよい。幅方向両端のレール溝１３への埋め込みを解除すれば、このストッパ１６は本体部３から取り外し可能である。
【００２１】
このようなリールシート２においては、図１に示すように、載置面１０にリールの脚部Ｘを載せ、脚部Ｘの穂先側端部を固定フード部１２に差し込む。そして、固定部１５の回動部分を起立させた状態で、移動フード部４のレール溝１３において穂先側にスライド移動させ、脚部Ｘの竿元側端部をフード部１４に差し込み、固定部１５の回動部分を平伏させて、溝１１へ爪を引っかけて、移動フード部４を位置決めする。このようにして、移動フード部４と固定フード部１２とでリールの脚部Ｘを挟み込んで固定する。
【００２２】
繰り返しリールシート２を使用し、移動フード部４が変形し若しくはフード部１４内やレール溝１３内などにゴミ等が詰まってしまった場合、ストッパ１６をレール溝１３から取り外し、移動フード部４をレール溝１３から取り外す。必要に応じて、移動フード部４を新しいものに交換することもできるし、レール溝１３内などの清掃もできる。
【００２３】
なお、この実施形態では、固定フード１２が元竿１の穂先側に配置されたリールシート２を例示しているが、固定フード１２と移動フード部４の配置方向は、軸長方向において交換することも当然に可能である。
【００２４】
［他の実施形態］
（ａ）上記リールシートの変形例を図４に示す。リールシートの他の部分の構造は上記第１実施形態と同様であり、第１実施形態と異なるのはストッパ２０である。このストッパ２０は、図４に示すように、レール溝１３の穂先側の解放端側に埋め込まれる部材である。図５に示すように、略U字型の部分と、その左右両端側それぞれにおいて前述のＵ字型部分に直交する方向に延びる延伸部分とからなる。延伸部分はレール溝１３の溝を埋めるようにして、左右のレール溝１３にそれぞれはめ込まれる。両延伸部分を連結する略Ｕ字型の部分は、載置面１０を横断する。
【００２５】
延伸部分は、レール溝１３の竿元側方向に延びるようにして、レール溝１３にはめ込まれる。その長さ及び配置位置は、図４に示すように、移動フード部４でリール脚部Ｘを挟持した状態において、移動フード部４のフード部１４の両端のレール溝に噛み合っている部分がストッパに当たるような位置とする。
【００２６】
第１実施形態と同様に、移動フード部４は固定部１５の起伏により所定の位置に位置決めされる。この際、移動フード部４のフード部１４の両端がストッパ２０に当たる。過剰に強く移動フード部４をリール脚部Ｘ方向に押し込んで両者を痛める恐れがない。他方、リールの脚部Ｘを取り外す際に、移動フード部４の位置決めを解放すると、ストッパ２０の弾性により、移動フード部４が竿元側方向に付勢されることになる。このように、リールの脚部Ｘの脱着が円滑になる。
（ｂ）なお、上記各実施形態においては、ストッパは左右のレール溝にはめ込まれる部分が連結されたものとなっている。しかし、このような形状に限定されるものではなく、左右それぞれ独立した一対のストッパとし、一対のストッパをレール溝にそれぞれ脱着自在に埋め込んで固定してもよい。
【図面の簡単な説明】
【００２７】
【図１】本発明の１つの実施形態を採用したリールシート２を示した図。
【図２】図１のリールシート２付近の側面図。
【図３】図２のIII-III断面図。
【図４】本発明の他の実施形態を採用したリールシートの図２に相当する図。
【図５】図４のリールシートのストッパ２０を示した図。
【符号の説明】
【００２８】
１  元竿（竿体）
２  リールシート
３  本体部
４  移動フード部
１０  載置面
１２  固定フード
１３  レール溝
１４  フード部
１５  固定部
１６，２０  ストッパ
【図１】
2005160409.tif 000003
【図２】
2005160409.tif 000004
【図３】
2005160409.tif 000005
【図４】
2005160409.tif 000006
【図５】
2005160409.tif 000007